【手続補正書】
【提出日】令和3年9月22日(2021.9.22)
【手続補正１】
【補正対象書類名】特許請求の範囲
【補正対象項目名】全文
【補正方法】変更
【補正の内容】
【特許請求の範囲】
【請求項１】
各気筒毎に燃料を噴射するインジェクタが設けられた多気筒内燃機関のインジェクタ故障診断装置であって、
全てのインジェクタを稼動させた時の稼動音を現状稼動音として取得し、全てのインジェクタのうちの一つの燃料噴射が停止され残りのインジェクタを稼動させた時の稼動音を擬似故障時稼動音として全てのインジェクタを対象に取得する稼動音取得部と、
前記稼動音取得部で取得した各インジェクタの擬似故障時稼動音が現状稼動音と類似するか否かをそれぞれ判定し、故障インジェクタを特定する故障インジェクタ特定部と、
を備えることを特徴とするインジェクタ故障診断装置。
【請求項２】
前記故障インジェクタ特定部は、各インジェクタの擬似故障時稼動音及び現状稼動音の周波数領域に現れる周波数のピークに基づいて類似度を計算する請求項１に記載のインジェクタ故障診断装置。
【請求項３】
前記故障インジェクタ特定部によって特定した結果を出力する結果出力部を更に備える請求項１に記載のインジェクタ故障診断装置。
【請求項４】
前記稼動音取得部及び前記故障インジェクタ特定部は、携帯端末に設けられている請求項１に記載のインジェクタ故障診断装置。
【請求項５】
前記稼動音取得部は、携帯端末に設けられ、
前記故障インジェクタ特定部は、前記携帯端末と通信可能なサーバに設けられている請求項１に記載のインジェクタ故障診断装置。
【請求項６】
前記携帯端末は、スマートフォンである請求項４又は５に記載のインジェクタ故障診断装置。
【請求項７】
各気筒毎に燃料を噴射するインジェクタが設けられた多気筒内燃機関のインジェクタ故障診断方法であって、
全てのインジェクタを稼動させた時の稼動音を現状稼動音として取得する現状稼動音取得工程と、
全てのインジェクタのうちの一つの燃料噴射が停止され残りのインジェクタを稼動させた時の稼動音を擬似故障時稼動音とし、全てのインジェクタに対して順次に取得する擬似故障時稼動音取得工程と、
前記擬似故障時稼動音取得工程で取得した各インジェクタの擬似故障時稼動音が前記現状稼動音取得工程で取得した現状稼動音と類似するか否かをそれぞれ判定し、故障インジェクタを特定する診断工程と、
を含むことを特徴とするインジェクタ故障診断方法。
【請求項８】
前記診断工程において、各インジェクタの擬似故障時稼動音及び現状稼動音の周波数領域に現れる周波数のピークに基づいて類似度を計算し、各インジェクタの擬似故障時稼動音が現状稼動音と類似するか否かを判定する請求項７に記載のインジェクタ故障診断方法。
【手続補正２】
【補正対象書類名】明細書
【補正対象項目名】００１０
【補正方法】変更
【補正の内容】
【００１０】
本発明に係るインジェクタ故障診断装置は、各気筒毎に燃料を噴射するインジェクタが設けられた多気筒内燃機関のインジェクタ故障診断装置であって、全てのインジェクタを稼動させた時の稼動音を現状稼動音として取得し、全てのインジェクタのうちの一つの燃料噴射が停止され残りのインジェクタを稼動させた時の稼動音を擬似故障時稼動音として全てのインジェクタを対象に取得する稼動音取得部と、前記稼動音取得部で取得した各インジェクタの擬似故障時稼動音が現状稼動音と類似するか否かをそれぞれ判定し、故障インジェクタを特定する故障インジェクタ特定部と、を備えることを特徴としている。
【手続補正３】
【補正対象書類名】明細書
【補正対象項目名】００１１
【補正方法】変更
【補正の内容】
【００１１】
本発明に係るインジェクタ故障診断装置では、稼動音取得部が現状稼動音及び各インジェクタの擬似故障時稼動音を取得し、故障インジェクタ特定部が各インジェクタの擬似故障時稼動音が現状稼動音と類似するか否かをそれぞれ判定し、故障インジェクタを特定するので、インジェクタの機械的な故障を簡単に診断することができるとともに、故障インジェクタを容易に特定することができる。しかも、人間の聴力で診断する場合と比べて精度を高めることができる。
【手続補正４】
【補正対象書類名】明細書
【補正対象項目名】００１２
【補正方法】変更
【補正の内容】
【００１２】
本発明に係るインジェクタ故障診断方法は、各気筒毎に燃料を噴射するインジェクタが設けられた多気筒内燃機関のインジェクタ故障診断方法であって、全てのインジェクタを稼動させた時の稼動音を現状稼動音として取得する現状稼動音取得工程と、全てのインジェクタのうちの一つの燃料噴射が停止され残りのインジェクタを稼動させた時の稼動音を擬似故障時稼動音とし、全てのインジェクタに対して順次に取得する擬似故障時稼動音取得工程と、前記擬似故障時稼動音取得工程で取得した各インジェクタの擬似故障時稼動音が前記現状稼動音取得工程で取得した現状稼動音と類似するか否かをそれぞれ判定し、故障インジェクタを特定する診断工程と、を含むことを特徴としている。
【手続補正５】
【補正対象書類名】明細書
【補正対象項目名】００１３
【補正方法】変更
【補正の内容】
【００１３】
本発明に係るインジェクタ故障診断方法では、現状稼動音取得工程で現状稼動音、擬似故障時稼動音取得工程で各インジェクタの擬似故障時稼動音をそれぞれ取得し、診断工程で各インジェクタの擬似故障時稼動音が現状稼動音と類似するか否かをそれぞれ判定し、故障インジェクタを特定するので、インジェクタの機械的な故障を簡単に診断することができるとともに、故障インジェクタを容易に特定することができる。しかも、人間の聴力で診断する場合と比べて精度を高めることができる。
【手続補正６】
【補正対象書類名】明細書
【補正対象項目名】００２９
【補正方法】変更
【補正の内容】
【００２９】
より具体的には、故障インジェクタ特定部１３は、現状稼動音を基準として、第１擬似故障時稼動音、第２擬似故障時稼動音、第３擬似故障時稼動音及び第４擬似故障時稼動音を順に現状稼動音と比較することで、それぞれが現状稼動音と類似するか否かを判定する。類似判定については、例えば図６に示すように、現状稼動音及び各インジェクタの擬似故障時稼動音について、周波数領域に現れる周波数のピーク（例えばエンジン（すなわち、多気筒内燃機関）の１次爆発周波数と気筒数の比の整数倍成分に現れるピーク）に基づきそれぞれの類似度を計算することにより行われる。このようにすることで、各擬似故障時稼動音が現状稼動音と類似するか否かを高精度で判定することができる。なお、図６において横軸は周波数を示し、縦軸は音圧レベルを示す。
【手続補正７】
【補正対象書類名】明細書
【補正対象項目名】００３３
【補正方法】変更
【補正の内容】
【００３３】
本実施形態に係るインジェクタ故障診断装置１では、稼動音取得部１２が現状稼動音及び各インジェクタの擬似故障時稼動音を取得し、故障インジェクタ特定部１３が各インジェクタの擬似故障時稼動音が現状稼動音と類似するか否かをそれぞれ判定し、故障インジェクタを特定するので、インジェクタの機械的な故障を簡単に診断することができるとともに、故障インジェクタを容易に特定することができる。しかも、人間の聴力で診断する場合と比べて精度を高めることができる。
【手続補正８】
【補正対象書類名】明細書
【補正対象項目名】００３４
【補正方法】変更
【補正の内容】
【００３４】
また、稼動音取得部１２及び故障インジェクタ特定部１３は、携帯しやすいスマートフォンに設けられるので、現場でインジェクタの機械的な故障を手軽に且つ簡単に診断することが可能になる。
【手続補正９】
【補正対象書類名】明細書
【補正対象項目名】００３６
【補正方法】変更
【補正の内容】
【００３６】
本実施形態のインジェクタ故障診断方法は、４つのインジェクタを稼動させた時の稼動音を現状稼動音として取得する現状稼動音取得工程と、４つのインジェクタのうちの一つの燃料噴射が停止され残り３つのインジェクタを稼動させた時の稼動音を擬似故障時稼動音とし、４つのインジェクタに対して順次に取得する擬似故障時稼動音取得工程と、擬似故障時稼動音取得工程で取得した各インジェクタの擬似故障時稼動音が現状稼動音取得工程で取得した現状稼動音と類似するか否かをそれぞれ判定し、故障インジェクタを特定する診断工程と、を含む。なお、このインジェクタ故障診断方法は、例えば多気筒内燃機関２のアイドリング（内燃機関の最低回転速度）時に実施される。
【手続補正１０】
【補正対象書類名】明細書
【補正対象項目名】００４１
【補正方法】変更
【補正の内容】
【００４１】
より具体的には、図３に示すように、インジェクタ故障診断装置１から多気筒内燃機関２に第１インジェクタ２１を停止する指令が送信されると、インジェクタ制御部２０がその指令を受信し、第１インジェクタ２１に停止する制御信号を送信する。これによって、第１インジェクタ２１の燃料噴射が停止する。一方、第２〜第４インジェクタ２２〜２４は停止せずに稼動し続ける。
【手続補正１１】
【補正対象書類名】明細書
【補正対象項目名】００５０
【補正方法】変更
【補正の内容】
【００５０】
本実施形態に係るインジェクタ故障診断方法では、現状稼動音及び各インジェクタの擬似故障時稼動音をそれぞれ取得し、取得した各インジェクタの擬似故障時稼動音が現状稼動音と類似するか否かをそれぞれ判定し、故障インジェクタを特定するので、インジェクタの機械的な故障を簡単に診断することができるとともに、故障インジェクタを容易に特定することができる。しかも、人間の聴力で診断する場合と比べて精度を高めることができる。